(57)【要約】      （修正有）【課題】眼鏡のくもりを回避し、二層の濾過効果を達成すると同時に、良好な通気性と捕集性を保持する、マスクを提供する。【解決手段】マスクは、第１通気層２と、第１通気層の一側に連接された第１静電層３と、第１通気層と第１静電層の間に定義された第１収容空間１１と、第１静電層の一側に連接された第２静電層４と、第１静電層と第２静電層の間に定義された第２収容空間１２と、第２静電層の一側に連接された第２通気層５と、第２静電層と第２通気層の間に定義された第３収容空間１３を含み、マスクを装着したとき、口の中から吐き出される気体が順に第１収容空間、第２収容空間、第３収容空間を通過することで、気体が漂い広がる速度を緩慢にし、かつ第２収容空間が気体を堆積して吸収することで、眼鏡のくもりを防止し、二層の濾過効果を達成すると同時に、通気性と捕集性を保持する。【選択図】図３
0003227239.tif 000002
【実用新案登録請求の範囲】
【請求項１】
マスクであって、主に、第１通気層と、第１静電層と、第２静電層と、第２通気層と、複数のストラップ部材と、を含み、
該第１静電層が該第１通気層の一側に連接され、かつ該第１通気層と該第１静電層の間に第１収容空間が定義され、
該第２静電層が該第１静電層の一側に連接され、かつ該第１静電層と該第２静電層の間に第２収容空間が定義され、該第１静電層と該第２静電層の密度及び繊維の径がいずれも異なり、
該第２通気層が該第２静電層の一側に連接され、かつ該第２静電層と該第２通気層の間に第３収容空間が定義され、
各該ストラップ部材が該マスク上に設置される、
ことを特徴とする、マスク。
【請求項２】
前記マスク上に少なくとも１つの結合部が設けられ、かつ各該ストラップ部材の両端が該結合部に連接されることを特徴とする、請求項１に記載のマスク。
【請求項３】
前記マスク上に定型片が設置されたことを特徴とする、請求項１に記載のマスク。
【請求項４】
前記第１静電層がメルトブロー式不織布である、ことを特徴とする、請求項１に記載のマスク。
【請求項５】
前記第２静電層がメルトブロー式不織布である、ことを特徴とする、請求項１に記載のマスク。
【請求項６】
前記第１静電層と該第２静電層の坪量が１０ｇ／ｍ２〜３０ｇ／ｍ２である、ことを特徴とする、請求項１に記載のマスク。    
【請求項７】
前記第１通気層の坪量が１７ｇ／ｍ２〜３０ｇ／ｍ２である、ことを特徴とする、請求項１に記載のマスク。
【請求項８】
前記第２通気層の坪量が１５ｇ／ｍ２〜５０ｇ／ｍ２である、ことを特徴とする、請求項１に記載のマスク。
【考案の詳細な説明】
【技術分野】
【０００１】
本考案はマスクに関し、特に、眼鏡によるくもりを防止し、二層の濾過効果を達成すると同時に、通気性と捕集性を兼ね備えたマスクに関する。
【背景技術】
【０００２】
マスクは一般に口と鼻の部位に装着する用具を指し、主な用途は口と鼻を出入りする空気の濾過で、それにより細菌や粉塵、飛沫の装着者体内への出入りを遮断するものであり、現在のマスクは多くが布または紙材で製造され、かつほとんどが使い捨て製品に属する。
【０００３】
マスクは種類が多く、例えば、布マスク、紙マスク、医療用マスク、活性炭マスク、防塵（煙）マスク、平面マスク、立体マスクなどがあり、使用者が普段環境の清掃を行うときは、防塵マスクの装用が適しており、使用者に風邪や発熱、咳等の呼吸器系症状がある、または病院や映画館等の換気がよくない場所へ行くときは医療用マスクの装用が適している。多くのマスクの種類により、使用者は異なる場面でその場面に適したマスクを装着し、空気中の細菌や粉塵を濾過して疾病の伝播を減少することができ、同時に、自分の健康を保障することもできる。
【０００４】
現在市販されているマスクには二層式、三層式、四層式等が含まれ、そのうち最も一般的なのが三層式マスクであり、その構造は外側から内側に順に、撥（疎）水層、濾過層、親水層となっており、主な用途は撥水層が飛沫の付着防止、濾過層が空気中の細菌と塵埃の濾過、吸水層がその名から分かるように装着者の発生する口沫の吸収である。
【０００５】
しかしながら、使用者が眼鏡と従来の三層式マスクを同時に装着すると、呼吸によって眼鏡がくもりやすく、口の中から吐き出される気体が従来の三層式マスクを迅速に通過して眼鏡のレンズ上に到達する。後に貼付片を備えたマスクが生み出され、これは貼付片をマスクの鼻翼に対応する位置に設置することで、使用者が吐き出す気体を遮断し、気体が上に放出されないようにしてレンズがくもる状況を回避することができる。しかし、上述の貼付片を備えたマスクは使用時に貼付片が呼吸器を遮蔽し、呼吸が困難になる問題が生じやすく、同時にぴったり貼付できないために、くもり防止効果が不足することがある。
【０００６】
このほか、さらに四層式マスクがあるが、これは三層の不織布と一層の静電濾過層で構成される。このような四層式マスクは一層の不織布が多く設置されているが、材料自体の繊維の径が太く、気体に対して緩衝の効果を達成することができないため、やはりレンズのくもりを防止することはできない。
【考案の概要】
【考案が解決しようとする課題】
【０００７】
本考案の主な目的は、第１静電層、第２静電層、及び相互の連接で形成される第２収容空間を通じて、吐出される気体に対して堆積と吸収を行い、それにより眼鏡のくもりを回避し、二層の濾過効果を達成すると同時に、良好な通気性と捕集性を保持する、マスクを提供することにある。
【課題を解決するための手段】
【０００８】
以下この考案について説明する。請求項１に記載するマスクは主に、第１通気層と、第１静電層と、第２静電層と、第２通気層と、複数のストラップ部材と、を含み、該第１静電層が該第１通気層の一側に連接され、かつ該第１通気層と該第１静電層の間に第１収容空間が定義され、該第２静電層が該第１静電層の一側に連接され、かつ該第１静電層と該第２静電層の間に第２収容空間が定義され、該第１静電層と該第２静電層の密度及び繊維の径がいずれも異なり、該第２通気層が該第２静電層の一側に連接され、かつ該第２静電層と該第２通気層の間に第３収容空間が定義され、各該ストラップ部材が該マスク上に設置される。
【０００９】
請求項２に記載するマスクは、請求項１におけるマスク上に少なくとも１つの結合部が設けられ、かつ各該ストラップ部材の両端が該結合部に連接される。
【００１０】
請求項３に記載するマスクは、請求項１におけるマスク上に定型片が設置される。
【００１１】
請求項４に記載するマスクは、請求項１における第１静電層がメルトブロー式不織布である。
【００１２】
請求項５に記載するマスクは、請求項１における第２静電層がメルトブロー式不織布である。
【００１３】
請求項６に記載するマスクは、請求項１における第１静電層と該第２静電層の坪量が１０ｇ／ｍ２〜３０ｇ／ｍ２である。
【００１４】
請求項７に記載するマスクは、請求項１における第１通気層の坪量が１７ｇ／ｍ２〜３０ｇ／ｍ２である。
【００１５】
請求項８に記載するマスクは、請求項１における第２通気層の坪量が１５ｇ／ｍ２〜５０ｇ／ｍ２である。
【考案の効果】
【００１６】
上述の構造を通じて、眼鏡とマスクを同時に装着したとき、口の中から吐出される気体が順に、第１通気層、第１収容空間、第１静電層、第２収容空間、第２静電層、第３収容空間を通過し、最後に第２通気層を通過してマスクから離脱する。気体が第１静電層を通過して第２収容空間に入ると、第１静電層と第２静電層の構造により、気体が漂う速度が低下し、同時に第２収容空間により気体に対して堆積と吸収を行うことができる。このほか、該気体の漂う速度が低下することで、気体が緩慢な速度で順に第２静電層、第３収容空間、第２通気層を通過して、最後にマスクの外へ放出される。
【００１７】
気体が上述のように緩慢な速度でマスクの外へ放出されれば、一度に大量の気体が使用者のレンズ上に直接接触することがなく、これにより、レンズに大量の気体が接触し、気体が凝縮して小さな水滴となり、レンズに付着してくもりを発生する問題を回避でき、同時に第１静電層と第２静電層の密度及び繊維の径が異なる構造を通じて、マスクの捕集性及び通気性を維持し、細菌、粉塵を遮断するだけでなく、同時に使用者に円滑な呼吸をさせることもできる。
【００１８】
上述の技術により、従来の三層式マスク及び貼付片を備えたマスクに存在する眼鏡がくもりやすい、呼吸しにくい、という問題点を打破し、上述の利点の実用的な進歩性を達成することができる。
【図面の簡単な説明】
【００１９】
【図１】本考案の最良の実施例の立体図である。
【図２】本考案の最良の実施例の分解図である。
【図３】本考案の最良の実施例の図１のＡ−Ａ線での断面図である。
【図４】本考案の最良の実施例の装着した状態を示す概略図である。
【図５】本考案の最良の実施例の息を吐く動作を示す概略図である。
【図６】本考案の最良の実施例の堆積を示す概略図である。
【図７】本考案の最良の実施例の放出を示す概略図である。
【図８】本考案の別の最良の実施例の立体図である。
【図９】本考案のさらに別の最良の実施例の立体図である。
【考案を実施するための形態】
【００２０】
図１から図３に示す本考案の最良の実施例の立体図から図１のＡ−Ａ線断面図に示すように、本考案は、マスク１と、第１通気層２と、第１収容空間１１と、第１静電層３と、第２収容空間１２と、第２静電層４と、第３収容空間１３と、第２通気層５と、複数のストラップ部材６を含み、そのうち、第１通気層２が第１静電層３の一側に連接され、第１静電層３が第２静電層４の一側に連接され、第２静電層４が第２通気層５の一側に連接され、かつ第１収容空間１１が第１通気層２と第１静電層３の間に定義され、第２収容空間１２が第１静電層３と第２静電層４の間に定義され、第３収容空間１３が第２静電層４と第２通気層５の間に定義され、ストラップ部材６がマスク１上に設置される。
【００２１】
本実施例において、第１通気層２はマスク１を装着したとき、顔と口に接触する内側の材料であり、第２通気層５は外側の材料であり、第１静電層３と第２静電層４の密度及び繊維の径はいずれも異なる。このほか、ストラップ部材６は数量が２つであり、かつ弾性を備え、マスク１の耳ひもとなる。
【００２２】
上述の説明から分かるように、本技術の構造は、この構造の対応した組み合わせにより、眼鏡のくもりを回避でき、二層の濾過機能を達成すると同時に、マスク１の捕集性と通気性を保持する。詳細な解説は以下の説明のとおりである。
【実施例１】
【００２３】
図１から図７に示す本考案の最良の実施例の立体図から気体の放出を示す概略図までを同時に参照する。上述の構造部材で構成したとき、図からはっきりと分かるように、使用者がマスク１と眼鏡を同時に装着したいときは、通常まずマスク１上のストラップ部材６を両耳に掛けてから眼鏡をかけるが、このときマスク１の構造により、使用者が息を吐くとき、口の中から吐出される気体７が順に第１通気層２、第１収容空間１１、第１静電層３、第２収容空間１２、第２静電層４、第３収容空間１３、第２通気層５を通過してマスク１の外部に放出される。本実施例において、第１通気層２は水分の吸収に用いられ、第２通気層５は飛沫の防止に用いられる。
【００２４】
気体７が第１通気層２を通過するとき、第１通気層２が気体７中の水分の吸収を開始し、水分の第１通気層２通過を遮断し、一部の気体７が漂い第１通気層２を通過して、第１収容空間１１に到達すると、第１通気層２に連接された第１静電層３に接触し、第１静電層３がその静電荷を持つ構造により、気体７内の粉塵及び細菌に対して濾過効果を発生し、粉塵及び細菌を第１収容空間１１中に遮断する。
【００２５】
このとき、濾過された気体７は第１静電層３を通過して第２収容空間１２に到達する。第２収容空間１２に到達した後、気体７は第１静電層３に連接された第２静電層４に接触し、第２静電層４の静電荷を持つ構造を通じて、再度粉塵及び細菌を濾過し、気体７が漂う速度を緩慢にする効果を達成する。同時に、気体７を堆積して気体７を第２収容空間１２中に貯蔵することができ、第２静電層４により遮断された気体７が緩慢な速度で漂い第２静電層４を通過し、かつ第３収容空間１３中へ移動する。
【００２６】
第２静電層４に連接された第２通気層５の主な機能は飛沫を防止するとともに、空気中の粉塵及び細菌が人体の呼吸系に進入しないよう予防することであるが、第２通気層５は第２静電層４を補助して、気体７に対する緩和の効果を達成することもでき、第２収容空間１２から出る気体７を再度緩和し、かつ第２通気層５を通過させた後、マスク１の外部に放出させることができる。
【００２７】
眼鏡がくもるのは、眼鏡の温度が吐出される気体７より低いため、吐出される気体７が眼鏡上のレンズに接触したとき、小さい水滴に凝縮してレンズ上に付着し、くもりの問題が発生する。しかし、くもりの消散速度も非常に速いため、一度に大量の気体７がレンズ上に接触した場合のみ、くもる状況が発生し、気体７が持続的にゆっくりと放出される場合は、くもりの生成速度が低下するため、くもり等の状況が発生しない。
【００２８】
このため、口の中から吐出される気体７が第２収容空間１２の堆積と吸収、及び第３収容空間１３の補助的遮断効果を経た後、緩慢な放出速度でマスク１中から放出されることで、レンズに一度に大量の気体７が接触することを回避し、気体７が凝縮して小さい水滴となり、レンズ上でくもりを発生することを防止する。
【００２９】
同様の原理で、使用者が吸気するときは、気体７が順に第２通気層５、第３収容空間１３、第２静電層４、第２収容空間１２、第１静電層３、第１収容空間１１、第１通気層２を通過して最後に人体内に進入する。吸気と同時に、第１静電層３と第２静電層４の構造を通じて、繰り返しの濾過効果を達成することができ、空気中の粉塵と細菌が第２静電層４により遮断されず、第２静電層４を通過したときは、第１静電層３を利用して、再度粉塵と細菌に対して捕捉を行い、細菌濾過の効果を高め、二層濾過の機能を達成することができる。
【００３０】
このほか、上述の第１静電層３と第２静電層４の密度及び繊維の径が異なる構造を通じ、気体７に対して緩衝の効果を達成でき、上述の第２収容空間１２は可動式の空隙であるため、第１静電層３と第２静電層４の緩衝效果を利用し、第２収容空間１２の堆積吸収効果を組み合わせ、上述の気体７をゆっくり漂わせるという目的を達成することができる。
【００３１】
データによると、医療用マスクは細菌濾過効率が９５％以上、かつ呼吸抵抗が５ｍｍＨ２Ｏ／ｃｍ２以下の性能を備えていなければ、国の医療用マスクに対する規定を満たすことができない。第１静電層３と第２静電層４の密度及び繊維の径が異なる構造を利用して、上述の２項目の条件を同時に満たすことができ、細菌濾過効率と呼吸抵抗の間で適したバランスをとることで、本考案は空気中の粉塵と細菌を効果的に濾過することができるだけでなく、良好な通気効果を保つこともできる。
【００３２】
そのうち、第１静電層３と第２静電層４の坪量は１０ｇ／ｍ２〜３０ｇ／ｍ２である。上述の第１静電層３と第２静電層４の坪量１０ｇ／ｍ２〜３０ｇ／ｍ２の構造を通じて、気体７の堆積、粉塵及び細菌の濾過と同時に、全体の通気効果を高め、使用者が第１静電層３、第２静電層４、または第２収容空間１２の構造によって呼吸が困難になる等の問題が発生することがない。気体７は第２収容空間１２中に堆積されるものの、気体７が第２静電層４を通過して放出されないわけではなく、上述の第１静電層３と第２静電層４は気体７を第２収容空間１２中に一時的に保存し、その構造を利用して継続的にゆっくりと第２収容空間１２中の気体７を放出するだけであるため、第１静電層３と第２静電層４の坪量が上述の範囲内であれば、くもりを回避すると同時に、全体の通気性及び捕集性を保つことができる。
【００３３】
そのうち、第１通気層２の坪量は１７ｇ／ｍ２〜３０ｇ／ｍ２であり、本実施例において、第１通気層２の坪量は２０ｇ／ｍ２を例とするが、これに限定されない。第１通気層２の坪量２０ｇ／ｍ２の構造を通じ、使用者が呼吸または話をするときに発生する水気を効果的に吸収でき、同時にその坪量が２０ｇ／ｍ２であることは即ちその密度が低く、呼吸抵抗性が低いことを意味するため、第１通気層２は良好な通気性を備えている。これにより、第１静電層３と第２静電層４を補助し、全体に良好な通気効果を達成させることができる。
【００３４】
そのうち、第２通気層５の坪量は１５ｇ／ｍ２〜５０ｇ／ｍ２であり、本実施例において、第２通気層５の坪量は３０ｇ／ｍ２を例とするが、これに限定されない。第２通気層５の坪量３０ｇ／ｍ２の構造を通じ、外部から飛散する水気を効果的に防止でき、同時にその坪量が３０ｇ／ｍ２であることは即ち第２通気層５が良好な飛沫遮断性を備えていることを意味するため、第１静電層３と第２静電層４を補助して気体７の流速を緩慢にすることができ、第２収容空間１２中にある気体７が第２静電層４を通過して第３収容空間１３に移動し、かつ第２通気層５を通過しようとすると、第２通気層５の構造により、再度その漂う速度が低下するため、レンズ上にくもりが形成される確率が低下する。
【００３５】
そのうち、第１静電層３と第２静電層４はメルトブロー式不織布である。メルトブロー式不織布は、溶融したポリマーをスピナレットから噴出させ、加熱空気と冷却気流の相互の組み合わせで、噴出されたポリマーを切断して繊維にし、最後にスクリーンで捕集する方法により製造される不織布である。このため、メルトブロー式不織布を濾過材料とし、静電荷処理を施すと、メルトブロー式不織布の濾過効果を効果的に増進することができる。メルトブロー式不織布は繊維の径が小さいため、大きな表面積、小さな空隙、高い孔隙率という材質の特色を備えており、その材質の特色を通じて、それ自体が良好な濾過性と遮蔽性を具備している。これにより、空気中で発生する粉塵及び細菌に対して確実な濾過の効果を達成できるだけでなく、その遮蔽性を通じ、気体７が第１静電層３と第２静電層４の連接により生じる第２収容空間１２中に堆積される。このため、第１静電層３と第２静電層４はメルトブロー式不織布の構造とすることで、全体の細菌濾過効果を強化するとともに、気体７の堆積効果も高め、レンズ上のくもりの発生を防止することができる。
【００３６】
上述では第１静電層３と第２静電層４の坪量が１０ｇ／ｍ２〜３０ｇ／ｍ２であると言及しており、本実施例においては、第１静電層３と第２静電層４の坪量が１５ｇ／ｍ２を例とするが、これに限定されない。これに基づき、第１静電層３と第２静電層４が同じ坪量の構造を通じて、追加コストを抑制することができ、１つの金型またはその他製造方法を必要とするのみで第１静電層３と第２静電層４を同時に生産できるため、余計な支出を減少することができる。また、第１静電層３と第２静電層４の坪量がいずれも１５ｇ／ｍ２であるとき、気体７の堆積効率と通気性が平衡を達成し、気体７をマスク１から排出する速度が低下してレンズ上にくもりを生じることができないようにし、同時に使用者の呼吸時に良好な通気効果を保つことができる。
【実施例２】
【００３７】
同時に図８に示す本考案の別の最良の実施例の立体図を参照する。上述の構造部材で構成したとき、図からはっきりと分かるように、本実施例は上述の実施例とほぼ同じであるが、マスク１ａ上に別途少なくとも１つの結合部１４ａを設け、ストラップ部材６ａの両端が該結合部１４ａに連接される。本実施例において、結合部１４ａは薄い布材を例とし、かつその数量は２つで、マスク１ａの左右両側に位置する。結合部１４ａは該ストラップ部材６ａの固定に用いられ、これによりストラップ部材６ａをマスク１ａ上にしっかりと固定し、ストラップ部材６ａが脱落しにくくすることができる。
【実施例３】
【００３８】
さらに同時に図９に示す本考案のさらに別の最良の実施例の立体図を参照する。上述の構造部材で構成したとき、図からはっきりと分かるように、本実施例は上述の実施例とほぼ同じであるが、マスク１ｂ上に別途定型片８ｂが設置され、定型片８ｂは可撓性の鼻梁ストリップを備えており、本実施例の定型片８ｂは鼻梁に対応する位置に設置される。これにより、使用者は定型片８ｂを通じて、マスク１ｂを使用者の鼻翼上に緊密に貼付させ、細菌がマスク１ｂの上側から放出される可能性を低下させると同時に、空気がマスク１ｂの上側から放出されてレンズに接触し、くもりを発生することを回避でき、全体の効果を高めることができる。
【００３９】
このように、本考案のマスクは次を重点として従来の技術を改善することができる。
【００４０】
第一に、第１収容空間１１、第２収容空間１２、第３収容空間１３の構造を通じて、気体７がマスク１の通過に必要な時間を増加する。
【００４１】
第二に、第２収容空間１２により使用者の口の中から吐出される気体７を堆積し、気体７の放出速度を緩慢にして、一度に大量の気体７がレンズ上に付着できないようにすることで、レンズのくもりが発生する可能性を回避する。
【００４２】
第三に、第１静電層３と第２静電層４の密度及び繊維の径が異なる構造を通じて、マスク１が細菌の濾過効率と呼吸抵抗の間でバランスを取ることを可能にし、同時に濾過と通気の効果を具備させる。
【００４３】
第四に、第１静電層３と第２静電層４の坪量が１０ｇ／ｍ２〜３０ｇ／ｍ２である構造を通じて、レンズにくもりが発生しないようにすると同時に、マスク１の通気性を保つことができる。
【符号の説明】
【００４４】
１、１ａ、１ｂ    マスク
１１    第１収容空間
１２    第２収容空間
１３    第３収容空間
１４ａ    結合部
２    第１通気層
３    第１静電層
４    第２静電層
５    第２通気層
６、６ａ    ストラップ部材
７    気体
８ｂ    定型片
【図１】
0003227239.tif 000003
【図２】
0003227239.tif 000004
【図３】
0003227239.tif 000005
【図４】
0003227239.tif 000006
【図５】
0003227239.tif 000007
【図６】
0003227239.tif 000008
【図７】
0003227239.tif 000009
【図８】
0003227239.tif 000010
【図９】
0003227239.tif 000011